(57)【要約】【課題】不燃ごみ又は粗大ごみとして収集されたごみについて、不燃物と可燃物を精度良く効率的に選別分離することができ、ごみの有効利用の向上を可能とするごみの分離方法及び分離装置を提供する。【解決手段】不燃ごみ又は粗大ごみとして収集されたごみを破砕し、磁選機により鉄類等の磁性物を分離回収後、トロンメル式篩い機によって選別分離する。そして、トロンメル式篩い機の篩い下について、ジグザグ式風力選別機によって軽量物と重量物に選別分離し、重量物について、湿式ジグ比重分離装置によって低比重物と高比重物に選別分離する。一方、トロンメル式篩い機の篩い上について、アルミ選別機によってアルミ等の分離回収を行った後、ジグザグ式風力選別機によって軽量物と重量物に選別分離し、重量物について、湿式ジグ比重分離装置によって、低比重物、高比重物に選別分離する。【選択図】図１
2005288209.tif 000002
【特許請求の範囲】
【請求項１】
不燃ごみ又は粗大ごみとして収集されたごみを破砕する破砕工程と、前記破砕工程において破砕された破砕物から磁選機によって磁性物を回収する磁選工程と、前記磁選工程において磁性物を回収された破砕物を篩いによって分離する篩い分離工程と、前記篩い分離工程において篩い下に分離された破砕物を風力選別機によって軽量物と重量物に分離する風力選別工程と、前記風力選別工程において重量物に分離されたものを湿式比重分離装置によって低比重物と高比重物に分離する湿式比重分離工程とを備えていることを特徴とするごみの分離方法。
【請求項２】
不燃ごみ又は粗大ごみとして収集されたごみを破砕する破砕工程と、前記破砕工程において破砕された破砕物から磁選機によって磁性物を回収する磁選工程と、前記磁選工程において磁性物を回収された破砕物を篩いによって分離する篩い分離工程と、前記篩い分離工程において篩い下に分離された破砕物を、前記篩い分離工程で用いた篩いよりも細かい篩い目を有する篩いによって分離する第２篩い分離工程と、前記第２篩い分離工程において篩い上に分離された破砕物を風力選別機によって軽量物と重量物に分離する風力選別工程と、前記風力選別工程において重量物に分離されたものを湿式比重分離装置によって低比重物と高比重物に分離する湿式比重分離工程とを備えていることを特徴とするごみの分離方法。
【請求項３】
前記篩い分離工程において篩い上に分離された破砕物から非鉄金属選別機によって非鉄金属を回収する非鉄金属選別工程と、前記非鉄金属選別工程において非鉄金属が回収された破砕物を風力選別機によって軽量物と重量物に分離する風力選別工程と、前記風力選別工程において重量物に分離されたものを湿式比重分離装置によって低比重物と高比重物に分離する湿式比重分離工程とを備えていることを特徴とする請求項１又は２に記載のごみの分離方法。
【請求項４】
不燃ごみ又は粗大ごみとして収集されたごみを破砕する破砕工程と、前記破砕工程において破砕された破砕物から磁選機によって磁性物を回収する磁選工程と、前記磁選工程において磁性物を回収された破砕物を篩いによって分離する篩い分離工程と、前記篩い分離工程において篩い上に分離された破砕物から非鉄金属選別機によって非鉄金属を回収する非鉄金属選別工程と、前記非鉄金属選別工程において非鉄金属が回収された破砕物を風力選別機によって軽量物と重量物に分離する風力選別工程と、前記風力選別工程において重量物に分離されたものを湿式比重分離装置によって低比重物と高比重物に分離する湿式比重分離工程とを備えていることを特徴とするごみの分離方法。
【請求項５】
前記風力選別工程において軽量物に分離されたものと、前記湿式比重分離工程において低比重物に分離されたものとを可燃物として回収することを特徴とする請求項１〜４のいずれかに記載のごみの分離方法。
【請求項６】
前記湿式比重分離工程において高比重物に分離されたものから鉄と非鉄金属を分離回収する鉄・非鉄金属回収工程を備えていることを特徴とする請求項１〜５のいずれかに記載のごみの分離装置。
【請求項７】
不燃ごみ又は粗大ごみとして収集されたごみを破砕する破砕手段と、前記破砕手段によって破砕された破砕物から磁性物を回収する磁選手段と、前記磁選手段によって磁性物を回収された破砕物を分離する篩い分離手段と、前記篩い分離手段によって篩い下に分離された破砕物を軽量物と重量物に分離する風力選別手段と、前記風力選別手段によって重量物に分離されたものを低比重物と高比重物に分離する湿式比重分離手段とを備えていることを特徴とするごみの分離装置。
【請求項８】
不燃ごみ又は粗大ごみとして収集されたごみを破砕する破砕手段と、前記破砕手段によって破砕された破砕物から磁性物を回収する磁選手段と、前記磁選工程において磁性物を回収された破砕物を分離する篩い分離手段と、前記篩い分離手段において篩い下に分離された破砕物を、前記篩い分離手段よりも細かい篩い目で分離する第２篩い分離手段と、前記第２篩い分離手段で篩い上に分離された破砕物を軽量物と重量物に分離する風力選別手段と、前記風力選別手段で重量物に分離されたものを低比重物と高比重物に分離する湿式比重分離手段とを備えていることを特徴とするごみの分離装置。
【請求項９】
前記篩い分離手段によって篩い上に分離された破砕物から非鉄金属を回収する非鉄金属選別手段と、前記非鉄金属選別手段によって非鉄金属が回収された破砕物を軽量物と重量物に分離する風力選別手段と、前記風力選別手段によって重量物に分離されたものを低比重物と高比重物に分離する湿式比重分離手段とを備えていることを特徴とする請求項７又は８に記載のごみの分離装置。
【請求項１０】
不燃ごみ又は粗大ごみとして収集されたごみを破砕する破砕手段と、前記破砕手段によって破砕された破砕物から磁性物を回収する磁選手段と、前記磁選手段によって磁性物を回収された破砕物を分離する篩い分離手段と、前記篩い分離手段において篩い上に分離された破砕物から非鉄金属を回収する非鉄金属選別手段と、前記非鉄金属選別手段によって非鉄金属が回収された破砕物を軽量物と重量物に分離する風力選別手段と、前記風力選別手段によって重量物に分離されたものを低比重物と高比重物に分離する湿式比重分離手段とを備えていることを特徴とするごみの分離装置。
【請求項１１】
前記風力選別手段によって軽量物に分離されたものと、前記湿式比重分離手段によって低比重物に分離されたものとを可燃物として回収することを特徴とする請求項７〜１０のいずれかに記載のごみの分離装置。
【請求項１２】
前記湿式比重分離手段によって高比重物に分離されたものから鉄と非鉄金属を分離回収する鉄・非鉄金属回収手段を備えていることを特徴とする請求項７〜１１のいずれかに記載のごみの分離装置。
【発明の詳細な説明】
【技術分野】
【０００１】
本発明は、不燃ごみ又は粗大ごみとして収集されたごみの分離方法及び分離装置に関するものである。
【背景技術】
【０００２】
従来、一般家庭から排出され自治体によって不燃ごみ又は粗大ごみとして収集されたごみは、破砕機で破砕されてから、磁力選別機で金属片等が回収除去され、残った破砕物が篩い選別機によって不燃物と可燃物に分離された後、不燃物は埋立処分場で埋立処分され、可燃物は焼却炉等で焼却処理されていた（例えば、特許文献１参照。）。
【特許文献１】特開平１−１１９３８１号公報
【発明の開示】
【発明が解決しようとする課題】
【０００３】
しかし、従来のごみの分離方法においては、不燃物に選別分離されて埋立処分場で埋立処分されているものの中にも可燃物が多く含まれており、可燃物に選別分離されて焼却炉等で焼却処理されているものの中にも不燃物が多く含まれているのが実情であった。
【０００４】
前者については、埋立処分場の残余量の減少による逼迫化に基づく埋立処分量減量化の要請があり、後者については、焼却炉における溶解したアルミの炉内各部への付着、堆積の問題や焼却炉に後続する灰溶融炉での異物混入の問題が発生している。
【０００５】
本発明は、上記の事情に鑑みてなされたものであり、不燃ごみ又は粗大ごみとして収集されたごみについて、不燃物と可燃物を精度良く効率的に選別分離することができ、ごみの有効利用の向上を可能とするごみの分離方法及び分離装置を提供することを目的とするものである。
【課題を解決するための手段】
【０００６】
上記課題を解決するために、本発明は以下の特徴を有する。
【０００７】
［１］不燃ごみ又は粗大ごみとして収集されたごみを破砕する破砕工程と、前記破砕工程において破砕された破砕物から磁選機によって磁性物を回収する磁選工程と、前記磁選工程において磁性物を回収された破砕物を篩いによって分離する篩い分離工程と、前記篩い分離工程において篩い下に分離された破砕物を風力選別機によって軽量物と重量物に分離する風力選別工程と、前記風力選別工程において重量物に分離されたものを湿式比重分離装置によって低比重物と高比重物に分離する湿式比重分離工程とを備えていることを特徴とするごみの分離方法。
【０００８】
［２］不燃ごみ又は粗大ごみとして収集されたごみを破砕する破砕工程と、前記破砕工程において破砕された破砕物から磁選機によって磁性物を回収する磁選工程と、前記磁選工程において磁性物を回収された破砕物を篩いによって分離する篩い分離工程と、前記篩い分離工程において篩い下に分離された破砕物を、前記篩い分離工程で用いた篩いよりも細かい篩い目を有する篩いによって分離する第２篩い分離工程と、前記第２篩い分離工程において篩い上に分離された破砕物を風力選別機によって軽量物と重量物に分離する風力選別工程と、前記風力選別工程において重量物に分離されたものを湿式比重分離装置によって低比重物と高比重物に分離する湿式比重分離工程とを備えていることを特徴とするごみの分離方法。
【０００９】
［３］前記篩い分離工程において篩い上に分離された破砕物から非鉄金属選別機によって非鉄金属を回収する非鉄金属選別工程と、前記非鉄金属選別工程において非鉄金属が回収された破砕物を風力選別機によって軽量物と重量物に分離する風力選別工程と、前記風力選別工程において重量物に分離されたものを湿式比重分離装置によって低比重物と高比重物に分離する湿式比重分離工程とを備えていることを特徴とする前記［１］又は［２］に記載のごみの分離方法。
【００１０】
［４］不燃ごみ又は粗大ごみとして収集されたごみを破砕する破砕工程と、前記破砕工程において破砕された破砕物から磁選機によって磁性物を回収する磁選工程と、前記磁選工程において磁性物を回収された破砕物を篩いによって分離する篩い分離工程と、前記篩い分離工程において篩い上に分離された破砕物から非鉄金属選別機によって非鉄金属を回収する非鉄金属選別工程と、前記非鉄金属選別工程において非鉄金属が回収された破砕物を風力選別機によって軽量物と重量物に分離する風力選別工程と、前記風力選別工程において重量物に分離されたものを湿式比重分離装置によって低比重物と高比重物に分離する湿式比重分離工程とを備えていることを特徴とするごみの分離方法。
【００１１】
［５］前記風力選別工程において軽量物に分離されたものと、前記湿式比重分離工程において低比重物に分離されたものとを可燃物として回収することを特徴とする前記［１］〜［４］のいずれかに記載のごみの分離方法。
【００１２】
［６］前記湿式比重分離工程において高比重物に分離されたものから鉄と非鉄金属を分離回収する鉄・非鉄金属回収工程を備えていることを特徴とする前記［１］〜［５］のいずれかに記載のごみの分離方法。
【００１３】
［７］不燃ごみ又は粗大ごみとして収集されたごみを破砕する破砕手段と、前記破砕手段によって破砕された破砕物から磁性物を回収する磁選手段と、前記磁選手段によって磁性物を回収された破砕物を分離する篩い分離手段と、前記篩い分離手段によって篩い下に分離された破砕物を軽量物と重量物に分離する風力選別手段と、前記風力選別手段によって重量物に分離されたものを低比重物と高比重物に分離する湿式比重分離手段とを備えていることを特徴とするごみの分離装置。
【００１４】
［８］不燃ごみ又は粗大ごみとして収集されたごみを破砕する破砕手段と、前記破砕手段によって破砕された破砕物から磁性物を回収する磁選手段と、前記磁選工程において磁性物を回収された破砕物を分離する篩い分離手段と、前記篩い分離手段において篩い下に分離された破砕物を、前記篩い分離手段よりも細かい篩い目で分離する第２篩い分離手段と、前記第２篩い分離手段で篩い上に分離された破砕物を軽量物と重量物に分離する風力選別手段と、前記風力選別手段で重量物に分離されたものを低比重物と高比重物に分離する湿式比重分離手段とを備えていることを特徴とするごみの分離装置。
【００１５】
［９］前記篩い分離手段によって篩い上に分離された破砕物から非鉄金属を回収する非鉄金属選別手段と、前記非鉄金属選別手段によって非鉄金属が回収された破砕物を軽量物と重量物に分離する風力選別手段と、前記風力選別手段によって重量物に分離されたものを低比重物と高比重物に分離する湿式比重分離手段とを備えていることを特徴とする前記［７］又は［８］に記載のごみの分離装置。
【００１６】
［１０］不燃ごみ又は粗大ごみとして収集されたごみを破砕する破砕手段と、前記破砕手段によって破砕された破砕物から磁性物を回収する磁選手段と、前記磁選手段によって磁性物を回収された破砕物を分離する篩い分離手段と、前記篩い分離手段において篩い上に分離された破砕物から非鉄金属を回収する非鉄金属選別手段と、前記非鉄金属選別手段によって非鉄金属が回収された破砕物を軽量物と重量物に分離する風力選別手段と、前記風力選別手段によって重量物に分離されたものを低比重物と高比重物に分離する湿式比重分離手段とを備えていることを特徴とするごみの分離装置。
【００１７】
［１１］前記風力選別手段によって軽量物に分離されたものと、前記湿式比重分離手段によって低比重物に分離されたものとを可燃物として回収することを特徴とする前記［７］〜［１０］のいずれかに記載のごみの分離装置。
【００１８】
［１２］前記湿式比重分離手段によって高比重物に分離されたものから鉄と非鉄金属を分離回収する鉄・非鉄金属回収手段を備えていることを特徴とする前記［７］〜［１１］のいずれかに記載のごみの分離装置。
【発明の効果】
【００１９】
本発明においては、不燃ごみ又は粗大ごみとして収集されたごみについて、従来は不燃物に選別分離されて埋立処分されているものから、その中に含まれている可燃物を分離回収するようにしているので、埋立処分量の低減化が可能になる。また、従来は可燃物に選別分離されて焼却処理されているものから、その中に含まれている不燃物を分離回収するようにしているので、良質な可燃物としてサーマルリサイクルが可能になるととともに、有価物の分離回収も可能になる。
【００２０】
すなわち、不燃ごみ又は粗大ごみとして収集されたごみについて、不燃物と可燃物を精度良く効率的に選別分離することができ、ごみの有効利用の向上を図ることができる。
【発明を実施するための最良の形態】
【００２１】
（第１の実施形態）
本発明の第１の実施形態を図１、図４、図５に基づいて説明する。図１は、この実施形態における処理手順を示すフローシートである。図４は、この実施形態において使用するジグザグ風力選別機の説明図であり、図５は、この実施形態において使用する湿式ジグ比重分離装置の説明図である。
【００２２】
図４に示すジグザグ風力選別機１０は、ジグザグ形状のジグザグ管１１と、そのジグザグ管１１の途中に設けられた投入口１１ａと、ジグザグ管１１内に上昇気流を発生させるための吸引ブロワ１２と、選別物を回収するためのサイクロン１３とを備えている。そして、被選別対象物２０を投入口１１ａよりジグザグ管１１に投入すると、ジグザグ管１１の形状効果で発生する乱流等によって被選別対象物２０がほぐされ、その内、軽量物２１は吸引ブロワ１２による上昇気流の影響を受けて上昇し、サイクロン１３で気流から遠心分離されて回収される。一方、重量物２２は吸引ブロワ１２による上昇気流よりも重力の影響が強いためにジグザグ管１１の下方から回収される。
【００２３】
図５（ａ）に概略図を示す湿式ジグ比重分離装置３０は、水槽３１と、脈動水流発生装置（図示せず）と、堰３２と、堰３２の所定高さ位置に設けられた取り出し口３３とを備えている。水に沈む分離対象物を水槽３１に投入すると、図５（ｂ）に示すように、脈動水流によって低比重物４１と高比重物４２に分離して成層化し、低比重物４１が脈動水流により堰３２の上端からオーバーフローさせて回収され、高比重物４２が取り出し口３３から回収されるようになっている。なお、低比重物を脈動水流により堰３２の上端からオーバーフローさせて回収し、中比重物を取り出し口３３から回収し、高比重物を水槽内に残るようにすることで、低比重物、中比重物、高比重物に選別分離することも可能である。
【００２４】
図１に示すフローシートにおいて、一般家庭から排出され、自治体により不燃ごみ又は粗大ごみとして収集されているごみ（例えば、自転車、ストーブ、ビデオテープ、カーペット類、蒲団等）を破砕機によって破砕する。
【００２５】
次に、破砕機によって破砕された破砕物から磁選機によって鉄類等の磁性物の吸着回収を行う。
【００２６】
次に、磁性物を回収された破砕物を、篩い目φ３０ｍｍのトロンメル式篩い機によって選別分離する。
【００２７】
そして、篩い下φ３０ｍｍアンダーの破砕物をジグザグ型風力選別機によって軽量物と重量物に選別分離する。ここで、軽量物として、主にプラスチック類、木・紙・布、ゴム、ウレタンから構成される可燃物が分離回収される。
【００２８】
次に、ジグザグ型風力選別機によって重量物として分離されたものを、湿式ジグ比重分離装置によって低比重物と高比重物に分離する。ここで、低比重物としては、主に固形プラスチック類、ゴム等の可燃物が分離回収され、高比重物としては、鉄及び非鉄金属等の不燃物が分離回収される。必要に応じて、分離回収された鉄及び非鉄金属等の不燃物から鉄と非鉄金属を分離回収する。
【００２９】
一方、トロンメル式篩い機の篩い上の破砕物からアルミ選別機によって主にアルミ類の非鉄金属の分離回収を行う。
【００３０】
次に、非鉄金属を分離回収した破砕物をジグザグ型風力選別機によって軽量物と重量物に分離する。ここで、軽量物として、主にプラスチック類、木・紙・布、ゴム、ウレタンから構成される可燃物が分離回収される。
【００３１】
次に、ジグザグ型風力選別機によって重量物として分離回収されたものを、湿式ジグ比重分離装置によって低比重物と高比重物に分離する。ここで、低比重物としては、主に固形プラスチック類、ゴム等の可燃物が分離回収され、高比重物としては、鉄及び非鉄金属等の不燃物が分離回収される。必要に応じて、分離回収された鉄及び非鉄金属等の不燃物から鉄及び非鉄金属を分離回収する。
【００３２】
上記のようにして、この実施形態においては、不燃ごみ又は粗大ごみとして収集されたごみについて、従来は不燃物に選別分離されて埋立処分されているものから、その中に含まれている可燃物を分離回収するようにしているので、埋立処分量の低減化が可能になる。また、従来は可燃物に選別分離されて焼却処理されているものから、その中に含まれている不燃物を分離回収するようにしているので、焼却炉における溶解したアルミの炉内各部への付着、堆積の問題や焼却炉に後続する灰溶融炉での異物混入の問題が回避され、良質な可燃物としてサーマルリサイクルが可能になるととともに、鉄や鉄金属といった有価物の分離回収も可能になる。
【００３３】
すなわち、不燃ごみ又は粗大ごみとして収集されたごみについて、不燃物と可燃物を精度良く効率的に選別分離することができ、ごみの有効利用の向上を図ることができる。
【００３４】
（第２の実施形態）
本発明の第２の実施形態を図２に基づいて説明する。図２は、この実施形態における処理手順を示すフローシートである。
【００３５】
図２に示すこの実施形態における処理手順は、図１に示した第１の実施形態における処理手順とほぼ同様であるが、以下の点が異なっている。
【００３６】
すなわち、第１の実施形態においては、篩い目φ３０ｍｍのトロンメル式篩い機によって選別分離された篩い下φ３０ｍｍアンダーの破砕物をジグザグ型風力選別機によって軽量物と重量物に選別分離しているのに対して、この実施形態においては、篩い目φ３０ｍｍのトロンメル式篩い機によって選別分離された篩い下φ３０ｍｍアンダーの破砕物を、あらかじめ篩い目１０ｍｍ以下の篩によって分級し、その篩い上をジグザグ型風力選別機によって軽量物と重量物に選別分離している。ここで、篩い目１０ｍｍ以下の篩によって分級された篩い下は、主にガラス粉砕品、砂であり、これらをあらかじめ分離除去しておくことにより、後続するジグザグ型風力選別機及び湿式ジグ比重分離装置における選別分離を一層精度良く効率的に行うことができる。
【００３７】
（第３の実施形態）
本発明の第３の実施形態を図３と図６に基づいて説明する。図３は、この実施形態における処理手順を示すフローシートである。図６は、この実施形態において使用する揺動式選別機の説明図である。
【００３８】
図３に示すこの実施形態における処理手順は、図１に示した第１の実施形態における処理手順とほぼ同様であるが、以下の点が異なっている。
【００３９】
すなわち、第１の実施形態においては、磁性物を回収された破砕物をトロンメル式篩い機によって選別分離しているのに代えて、この実施形態では、磁性物を回収された破砕物を揺動式選別機によって選別分離している。
【００４０】
図６（ａ）に斜視図、図６（ｂ）に側面図を示すように、揺動式選別機５０は、チャンバー５１の内部に傾斜して設けられた複数の傾斜スクリーン５２と、それぞれの傾斜スクリーン５２の左右４個所に配置された偏心駆動機構５３と、傾斜スクリーン５２面上に設けられた篩い穴５２ｃとを備えており、偏心駆動機構５３の駆動によって、傾斜スクリーン５２が傾斜上方への送りをかけるように上下方向及び傾斜方向において往復運動するような揺動運動を行うようになっている。そして、傾斜スクリーン５２上に選別対象物６０を投入すると、塊状物６１は反発力が大きいので、傾斜スクリーン５２の傾斜に応じて傾斜下方に跳ね返り、結果として傾斜下方側５２ａから排出されるのに対し、シート状物６２は反発力が小さいので、傾斜スクリーン５２上で跳ね上げられることが無く、揺動運動によって傾斜上方に搬送され、結果として傾斜上方側５２ｂより排出される。また、傾斜スクリーン５２面上の篩い穴５２ｃの径より小さな物体は傾斜スクリーン５２の下方に小粒径物６３として排出される。
【００４１】
そして、この実施形態においては、揺動式選別機によって選別分離された篩い下（小粒径物）について、第１の実施形態におけるトロンメル式篩い機の篩い下と同様な処理手順を適用し、揺動式選別機によって選別分離された塊状物を第１の実施形態におけるトロンメル式篩い機の篩い上と同様な処理手順を適用し、揺動式選別機によって選別分離されたシート状物を可燃物として回収している。
【００４２】
上記のようにして、この実施形態においても、第１の実施形態と同様に、不燃ごみ又は粗大ごみとして収集されたごみについて、不燃物と可燃物を精度良く効率的に選別分離することができ、ごみの有効利用の向上を図ることができる。
【実施例】
【００４３】
前述した本発明の第２の実施形態によって、不燃ごみ又は粗大ごみとして収集されたごみの選別分離を行った実施例を以下に示す。
【００４４】
不燃ごみ又は粗大ごみとして収集されたごみを破砕し、磁選機により鉄類等の磁性物を分離回収後、篩い目３０ｍｍのトロンメル式篩い機によって選別分離した。
【００４５】
そして、篩い下について、さらに篩い目２．３６ｍｍの篩いによって分級を行い、その篩い上をジグザグ式風力選別機によって軽量物と重量物に選別分離した。軽量物として、ビデオテープ等のフラフ状プラスチック類、木・紙・布が分離回収された。さらに、ジグザグ式風力選別機における重量物について、湿式ジグ比重分離装置によって、低比重物、中比重物、高比重物の３層に選別分離した。低比重物として、固形プラスチック、木・紙・布が分離回収され、中比重物として、ガラスが分離された。また、高比重物について、磁選機によって鉄を分離回収し、アルミ選別機によって非鉄を分離回収することにより、有価物の回収を行った。表１に、上記でのそれぞれの分離回収比率を示す。
【００４６】
従来、トロンメル式篩い機の篩い下については、全て埋立処分されていたが、この実施例においては、トロンメル式篩い機の篩い下について、ジグザグ式風力選別機における軽量物として５％、湿式ジグ比重分離装置における低比重物として３５％の計４０％を可燃物として回収できた。これによって、サーマルリサイクルが可能になるとともに、埋立処分量の大幅な低減化を図ることができた。
【００４７】
【表１】
2005288209.tif 000003
【００４８】
一方、トロンメル式篩い機の篩い上に分離された破砕物について、非鉄選別機（アルミ選別機）によって主にアルミ・銅の非鉄金属の分離回収を行った後、ジグザグ式風力選別機によって軽量物と重量物に選別分離した。軽量物として、ビデオテープ等のフラフ状プラスチック類、木・紙・布、ゴムの分離回収された。さらに、ジグザグ式風力選別機における重量物について、湿式ジグ比重分離装置によって、低比重物、高比重物の２層に選別分離した。表２に、上記でのそれぞれの分離回収比率を示す。
【００４９】
従来、トロンメル式篩い機の篩い上については、全て焼却処分されていたが、この実施例においては、トロンメル式篩い機の篩い上について、湿式ジグ比重分離装置における高比重物として不燃物を５５％分離回収することができた。なお、湿式ジグ比重分離装置における高比重物について、鉄を磁選機によって分離回収し、非鉄金属をアルミ選別機によって分離回収することにより、有価物の回収を行った。これによって、焼却炉における溶解したアルミの炉内各部への付着、堆積の問題や焼却炉に後続する灰溶融炉での異物混入の問題が回避され、良質な可燃物としてサーマルリサイクルが可能になるととともに、鉄や鉄金属といった有価物の分離回収も可能になった。
【００５０】
【表２】
2005288209.tif 000004
【図面の簡単な説明】
【００５１】
【図１】本発明の第１の実施形態におけるフローシートである。
【図２】本発明の第２の実施形態におけるフローシートである。
【図３】本発明の第３の実施形態におけるフローシートである。
【図４】本発明の実施形態において使用するジクザク式風力選別機の説明図である。
【図５】本発明の実施形態において使用する湿式ジグ比重分離装置の説明図である。
【図６】本発明の実施形態において使用する揺動式選別機の説明図である。
【符号の説明】
【００５２】
１０  ジグザク式風力選別機
１１  ジグザグ管
１１ａ  投入口
１２  吸引ブロワ
１３  サイクロン
２０  被選別対象物
２１  軽量物
２２  重量物
３０  湿式ジグ比重分離装置
３１  水槽
３２  堰
３３  取り出し口
４１  低比重物
４２  高比重物
５０  揺動式選別機
５１  チャンバー
５２  傾斜スクリーン
５２ａ  傾斜スクリーンの傾斜下方側
５２ｂ  傾斜スクリーンの傾斜上方側
５２ｃ  傾斜スクリーンの篩い穴
５３  偏心駆動部
６０  選別対象物
６１  塊状物
６２  シート状物
６３  小粒径物
【図１】
2005288209.tif 000005
【図２】
2005288209.tif 000006
【図３】
2005288209.tif 000007
【図４】
2005288209.tif 000008
【図５】
2005288209.tif 000009
【図６】
2005288209.tif 000010